(57)【要約】【課題】  本発明は、例えば、球面収差の変更の点で有利なレンズ系を提供することを目的とする。【解決手段】  本発明のレンズ系は、撮像光学系の像側に配置される、負の屈折力を有するレンズ系であって、物体側から像側へ順に、正の屈折力を有する第１レンズ群と、第２レンズ群と、第３レンズ群とからなり、前記第１レンズ群は、単レンズまたは接合レンズからなり、前記第２レンズ群は、球面収差を変更するために光軸方向に可動であり、前記撮像光学系に軸上光線が入射した場合の前記レンズ系の横倍率をＢとし、前記第２レンズ群の横倍率をＢ２として、      ０．９０＜Ｂ＜１．１０      ０．９５＜Ｂ２＜１．０５なる条件式を満たすことを特徴とする。【選択図】  図１
2019207267.tif 000002
【特許請求の範囲】
【請求項１】
撮像光学系の像側に配置される、負の屈折力を有するレンズ系であって、
物体側から像側へ順に、正の屈折力を有する第１レンズ群と、第２レンズ群と、第３レンズ群とからなり、
前記第１レンズ群は、単レンズまたは接合レンズからなり、
前記第２レンズ群は、球面収差を変更するために光軸方向に可動であり、
前記撮像光学系に軸上光線が入射した場合の前記レンズ系の横倍率をＢとし、前記第２レンズ群の横倍率をＢ２として、
０．９０＜Ｂ＜１．１０
０．９５＜Ｂ２＜１．０５
なる条件式を満たすことを特徴とするレンズ系。
【請求項２】
前記第２レンズ群の最も像側の面は、像側に凸であり、前記第３レンズ群の最も物体側の面は、物体側に凹であることを特徴とする請求項１に記載のレンズ系。
【請求項３】
前記レンズ系に含まれている負のレンズの平均屈折率をｎｄａｖｅとして、
１．６５＜ｎｄａｖｅ
なる条件式を満たすことを特徴とする請求項１又は２に記載のレンズ系。
【請求項４】
前記第１レンズ群の最も物体側のレンズのｄ線のアッベ数をνｄ１として、
１５＜νｄ１＜４０
なる条件式を満たすことを特徴とする請求項１乃至３のうちいずれか１項に記載のレンズ系。
【請求項５】
前記第１レンズ群の焦点距離をｆ１とし、前記第３レンズ群の焦点距離をｆ３として、
−５．０＜ｆ１／ｆ３＜−１．５
なる条件式を満たすことを特徴とする請求項１乃至４のうちいずれか１項に記載のレンズ系。
【請求項６】
前記第３レンズ群は、単レンズまたは接合レンズからなることを特徴とする請求項１乃至５のうちいずれか１項に記載のレンズ系。
【請求項７】
４つのレンズからなることを特徴とする請求項１乃至６のうちいずれか１項に記載のレンズ系。
【請求項８】
前記第２レンズ群は、２つのレンズからなることを特徴とする請求項１乃至７のうちいずれか１項に記載のレンズ系。
【請求項９】
撮像光学系と、
前記撮像光学系の像側に配置された請求項１乃至８のうちいずれか１項に記載のレンズ系と、
を含むことを特徴とするレンズ装置。
【請求項１０】
請求項９に記載のレンズ装置と、
前記レンズ装置の像面に配された撮像素子と、
を有することを特徴とする撮像装置。
【請求項１１】
請求項１乃至８のうちいずれか１項に記載のレンズ系と、
前記レンズ系の物体側に撮像レンズを装着するための装着部材と、
を有することを特徴とするアダプタ装置。
【請求項１２】
前記レンズ系の像側に撮像部を装着するための装着部材を有することを特徴とする請求項１１に記載のアダプタ装置。
【発明の詳細な説明】
【技術分野】
【０００１】
本発明は、球面収差を変更可能なレンズ系、レンズ装置、アダプタ装置、及び撮像装置に関する。
【背景技術】
【０００２】
従来から所謂ソフトフォーカス効果を持ったレンズ装置が知られている。これは、シャープな描写が可能な通常撮影用のレンズ装置に対し、描写性やボケ味等を変化させるために被写体像の画面中心部の性能を変化させたレンズ装置である。
【０００３】
特許文献１には、ソフトフォーカス効果を持った単焦点レンズ装置が開示されている。ソフトフォーカス効果を実現するために、正のパワーを持つマスターレンズ群と、負のパワーを持つソフト効果レンズ群とで構成されている。上記ソフト効果レンズ群は、上記マスターレンズ群に対して少なくとも正のサブ群と負のサブ群とを光軸方向に独立に移動する構成としている。
【０００４】
特許文献２には、ズームレンズ装置もしくは単焦点レンズ装置の像側に装着されるアタッチメントレンズ装置に関する構成が開示されている。アタッチメントレンズ装置は、複数のレンズ群から構成されている。球面収差を変更するために、当該複数のレンズ群のうち少なくとも１つのレンズ群を光軸方向に移動する構成としている。
【０００５】
特許文献３には、生物観察用の顕微鏡対物レンズ装置であって、カバーガラス等の厚み等の変化で生じた結像性能の劣化を補正する構成が開示されている。当該対物レンズ装置において、正レンズと負レンズとを接合してなる接合レンズを含むレンズ群を光軸方向に移動することで球面収差を補正する構成としている。
【先行技術文献】
【特許文献】
【０００６】
【特許文献１】特開２００２−３１８３４６号公報
【特許文献２】特開平９−１８９８５８号公報
【特許文献３】特開平１０−２２７９７７号公報
【発明の概要】
【発明が解決しようとする課題】
【０００７】
特許文献１に記載のレンズ装置では、ソフト効果を得るために、複数の群を独立に移動している。そのため、構造が大型化または複雑化する。
【０００８】
特許文献２に記載のアタッチメントレンズ装置では、他のレンズ装置へのアタッチメントレンズ装置の装着により、それらの合成焦点距離は、他のレンズ装置の合成焦点距離から変化してしまう。
【０００９】
特許文献３に記載の顕微鏡対物レンズ装置では、球面収差を補正するためのレンズ群が含まれているため、構造が大型化または複雑化する。
【００１０】
本発明は、例えば、球面収差の変更の点で有利なレンズ系を提供することを目的とする。
【課題を解決するための手段】
【００１１】
本発明のレンズ系は、撮像光学系の像側に配置される、負の屈折力を有するレンズ系であって、物体側から像側へ順に、正の屈折力を有する第１レンズ群と、第２レンズ群と、第３レンズ群とからなり、前記第１レンズ群は、単レンズまたは接合レンズからなり、前記第２レンズ群は、球面収差を変更するために光軸方向に可動であり、前記撮像光学系に軸上光線が入射した場合の前記レンズ系の横倍率をＢとし、前記第２レンズ群の横倍率をＢ２として、
０．９０＜Ｂ＜１．１０
０．９５＜Ｂ２＜１．０５
なる条件式を満たすことを特徴とする。
【発明の効果】
【００１２】
本発明によれば、例えば、球面収差の変更の点で有利なレンズ系を提供することができる。
【図面の簡単な説明】
【００１３】
【図１】数値実施例１の無限遠合焦時の断面図である。
【図２】数値実施例１の無限遠合焦時の縦収差図である。
【図３】数値実施例２の無限遠合焦時の断面図である。
【図４】数値実施例２の無限遠合焦時の縦収差図である。
【図５】数値実施例３の無限遠合焦時の断面図である。
【図６】数値実施例３の無限遠合焦時の縦収差図である。
【図７】数値実施例４の無限遠合焦時の断面図である。
【図８】数値実施例４の無限遠合焦時の縦収差図である。
【図９】数値実施例５の無限遠合焦時の断面図である。
【図１０】数値実施例５の無限遠合焦時の縦収差図である。
【図１１】数値実施例６の無限遠合焦時の断面図である。
【図１２】数値実施例６の無限遠合焦時の縦収差図である。
【図１３】数値実施例７の無限遠合焦時の断面図である。
【図１４】数値実施例７の無限遠合焦時の縦収差図である。
【図１５】数値実施例８の無限遠合焦時の断面図である。
【図１６】数値実施例８の無限遠合焦時の縦収差図である。
【図１７】数値実施例９の無限遠合焦時の断面図である。
【図１８】数値実施例９の無限遠合焦時の縦収差図である。
【図１９】数値実施例１乃至４及び６乃至９における撮像光学レンズのみからなるレンズの無限遠合焦時の縦収差図である。
【図２０】数値実施例５における撮像光学レンズのみからなるレンズの無限遠合焦時の縦収差図である。
【図２１】本発明の球面収差可変光学系を含む撮像装置の要部概略図である。
【図２２】本発明の球面収差可変光学系のアダプタを含む撮像装置の要部概略図である。
【発明を実施するための形態】
【００１４】
次に本発明の各実施例の特徴について説明する。以下、本発明の実施形態について、図面を参照しながら詳細に説明する。各図において、同一の部材については同一の参照番号を付し、重複する説明は省略する。
【００１５】
本発明の球面収差可変光学系（レンズ系）は、撮像光学系（撮像レンズ）の像側に配置して使用され、光学系により形成される像に撮像光学系とは異なるシャープネスやボケを与える。球面収差可変光学系は、全体として負の屈折力となっている。これにより、撮像光学系と球面収差可変光学系を合わせた主点位置を物体側に近づけることで小型化が可能となる。本発明の球面収差可変光学系は、物体側から像側に順に配置された、正の屈折力の第１レンズ群、第２レンズ群、第３レンズ群から構成される。球面収差可変に際して、第２レンズ群のみを独立に光軸方向に可動とすることで、第１レンズ群と第２レンズ群の間隔、第２レンズ群と第３レンズ群の間隔が変化する。ここで屈折力は焦点距離の逆数として定義される。
【００１６】
本発明の球面収差可変光学系は以下の条件式（１）を満足する。
０．９０＜Ｂ＜１．１０  ・・・式（１）
ここで、Ｂは、撮像光学レンズに軸上光線が入射する際の球面収差可変光学系の横倍率である。これは、本発明の球面収差可変光学系を撮像光学系の像側に配置して使用するときに、撮像光学系の焦点距離と、該撮像光学系と球面収差可変光学系の合成焦点距離を略一致させるために規定している。
【００１７】
条件式（１）の上限の条件が満たされない、または下限の条件が満たされないと、撮像光学系の焦点距離と、該撮像光学系と球面収差可変光学系の合成焦点距離が大きく変化してしまう。更に好ましくは、条件式（１）を次の如く設定するのが良い。
０．９５＜Ｂ＜１．０５  ・・・式（１ａ）
【００１８】
また、本発明の球面収差可変光学系は以下の条件式（２）を満足する。
０．９５＜Ｂ２＜１．０５  ・・・式（２）
ここで、Ｂ２は、撮像光学レンズに軸上光線が入射する際の球面収差可変光学系の第２レンズ群の横倍率である。これは、本発明の球面収差可変光学系の第２レンズ群が独立して光軸方向に移動するときに、移動前のバックフォーカスと、移動後のバックフォーカスを変化させないために規定している。ここで、第２レンズ群の光軸方向への単位移動量当たりのバックフォーカス変化量をｓｋとすると、ｓｋは概ね以下の式で表される。
ｓｋ≒１−Ｂ２２  ・・・式（３）
【００１９】
条件式（２）の上限の条件が満たされない、または下限の条件が満たされないと、移動前の該撮像光学系と球面収差可変光学系からなるバックフォーカスと、移動後の該撮像光学系と球面収差可変光学系からなるバックフォーカスが大きく変化してしまう。更に好ましくは、条件式（２）を次の如く設定するのが良い。
０．９８＜Ｂ２＜１．０２  ・・・式（２ａ）
【００２０】
以上のようにレンズ構成を特定することによって、球面収差可変光学系を有する小型かつ簡素な構造のレンズが得られる。さらなる本発明の球面収差可変光学系の態様として、第２レンズ群と第３レンズ群の形状を規定している。球面収差可変光学系は負の屈折力であるため、撮像光学系の像側に配置した状態において正の球面収差が生じやすい。しかしながら、第２レンズ群の最も像側の面と第３レンズ群の最も物体側の面を物体側に向かって凹形状とすることで、効果的に負の球面収差についてもコントロールすることができる。つまり、第２レンズ群の最も像側の面の曲率半径と第３レンズ群の最も物体側の面の曲率半径が負の曲率半径となる。また、第２レンズ群と第３レンズ群の間隔変更で軸上光線の高さを変更することが可能となり、第２レンズ群と第３レンズ群の間隔が拡がると負の球面収差が発生し、第２レンズ群と第３レンズ群の間隔が狭まると正の球面収差が発生する。
【００２１】
さらなる本発明の球面収差可変光学系の態様として、球面収差可変光学系に含まれる負レンズの平均屈折率を規定している。球面収差可変光学系に含まれる負レンズの材料のｄ線の平均屈折率をｎｄａｖｅとする。以下の条件式（４）を満足するのが良い。
１．６５＜ｎｄａｖｅ  ・・・式（４）
【００２２】
条件式（４）を満足すると、像面湾曲を良好に補正することが可能になる。これは、球面収差可変光学系を小型化するために負の屈折力を強くしたため、負レンズに高屈折率の材料を用いてペッツバール和を補正するのに効果的である。更に好ましくは、条件式（４）を次の如く設定するのが良い。
１．７０＜ｎｄａｖｅ＜２．００  ・・・式（４ａ）
【００２３】
さらなる本発明の球面収差可変光学系の態様として、球面収差可変光学系の最も物体側のレンズのアッベ数を規定している。球面収差可変光学系の最も物体側のレンズの材料のｄ線のアッベ数をνｄ１とする。以下の条件式（５）を満足するのが良い。
１５＜νｄ１＜４０  ・・・式（５）
【００２４】
条件式（５）を満足すると、球面収差可変光学系で発生する軸上、倍率色収差を良好に補正することが可能になる。これは、球面収差可変光学系の最も物体側のレンズの屈折力は小さく、球面収差可変光学系の最も物体側から２番目のレンズは負の屈折力のため、屈折力で発生した色収差を効果的に補正することが可能となる。更に好ましくは、条件式（５）を次の如く設定するのが良い。
１７＜νｄ１＜３５  ・・・式（５ａ）
【００２５】
さらなる本発明の球面収差可変光学系の態様として、球面収差可変光学系の第１レンズ群と第３レンズ群の屈折力を規定している。球面収差可変光学系の第１レンズ群の焦点距離をｆ１、第３レンズ群の焦点距離をｆ３とする。以下の条件式（６）を満足するのが良い。
−５．０＜ｆ１／ｆ３＜−１．０  ・・・式（６）
【００２６】
条件式（６）を満足すると、球面収差可変光学系は球面収差以外の諸収差の変化を抑制することが可能になる。件式（６）の上限の条件が満たされないと全体として負の屈折力となる球面収差可変光学系を小型化することが困難となる。また、下限の条件が満たされないと、第２レンズ群の移動によって生じる軸外の収差を抑制することが困難となる。更に好ましくは、条件式（６）を次の如く設定するのが良い。
−４．０＜ｆ１／ｆ３＜−１．５  ・・・式（６ａ）
【００２７】
さらなる本発明の球面収差可変光学系の態様として、球面収差可変光学系のレンズの枚数を規定している。球面収差可変光学系を小型かつ筒素な構造とすることが可能となる。このとき、次の構成のうち１つ以上を満足するのが良い。第１レンズ群を単レンズまたは接合レンズからなる正の屈折力で構成することを特徴としている。これは、球面収差を可変するために第２レンズ群の光軸方向の移動量を十分に確保するために効果的である。また、球面収差可変光学系は４つのレンズで構成することを特徴としている。これは、球面収差可変光学系を小型かつ簡素な構造とするために効果的である。更に、球面収差可変光学系の第２レンズ群は２つのレンズで構成する。なお、負レンズと正レンズで接合された接合レンズの場合、２つのレンズで構成とすることを特徴としている。これは、球面収差を可変するための第２レンズ群が小型な構造となるために効果的である。
以下、添付の図面を参照しながら実施例１乃至９を説明する。
【実施例１】
【００２８】
本発明の第１の実施例に係る球面収差可変光学系について図１、２を参照しながら説明する。
【００２９】
図１は本発明の実施例１の球面収差可変光学レンズの無限遠物体に合焦しているときのレンズの断面図である。ここでは、撮像光学系の像側に本発明の球面収差可変光学系が着脱可能に構成されているレンズとして説明する。しかし、本発明はこれに限定されることはなく、撮像光学系の像側に本発明の球面収差可変光学系が一体的に構成されていても同様の効果を得ることができる。これは、以下の実施例２乃至９についても同様である。次に各レンズ群のレンズ構成について説明する。各レンズ群の構成は特に断りがない限り、物体側から像側へ順に配置されている。これは、以下の実施例２乃至９についても同様である。
【００３０】
Ｕは全体として正の屈折力を有する撮像光学系である。ＳＰは開口絞りである。撮像光学系の像側に配置され全体として負の屈折力を有する球面収差可変光学系Ｌは３群で構成されている。
【００３１】
球面収差可変光学系Ｌの各レンズ群のレンズ構成について説明する。正の屈折力を有する第１レンズ群Ｌ１は、物体側の面が凸でメニスカス形状の正レンズで構成されている。正の屈折力を有する第２レンズ群Ｌ２は、負レンズと正レンズが接合された接合レンズで構成されている。負の屈折力を有する第３レンズ群Ｌ３は、物体側の面が凹でメニスカス形状の負レンズで構成されている。第２レンズ群Ｌ２は独立して光軸方向に移動し、球面収差の状態を変更するレンズ群である。ＩＰは象面である。本実施形態の光学系がビデオカメラやデジタルカメラの光学系として用いられる場合、象面ＩＰは、この光学系により形成された像を受光するＣＣＤセンサやＣＭＯＳセンサ等の撮像素子（光電変換素子）の撮像面に相当する。また、光学系が銀塩フイルム用カメラの光学系として使用される場合、象面ＩＰはフイルム面に相当する。
【００３２】
この撮像光学系Ｕは、単独でシャープな描写を可能とする通常の撮影レンズとして作用する。一方、撮像光学系Ｕの像側に球面収差可変光学系Ｌを配置することで、撮像光学系Ｕと同等の球面収差が発生した描写、負の球面収差を大きく発生した描写、正の球面収差を大きく発生した描写が得られる球面収差可変レンズとなる。球面収差可変光学系Ｌの第２レンズ群Ｌ２の最も像側の面を像側に凸形状とし、第３レンズ群Ｌ３の最も物体側の面を物体側に向かって凹形状として構成している。第２レンズ群Ｌ２の最も像側のレンズ面は収束面であるため負の球面収差を発生させる。一方、第３レンズ群Ｌ３の最も物体側のレンズ面は発散面であるため正の球面収差を発せさせる。これにより、第２レンズ群Ｌ２を独立して光軸方向に移動することで軸上光線の高さを変化させることが可能となる。第２レンズ群Ｌ２を物体側に移動させた場合、第２レンズ群Ｌ２の最も像側のレンズの物体側のレンズ面を通る軸上光線の高さは高くなるため、負の球面収差が発生する。負の球面収差を発生させた場合、合焦している被写体の後方にある物体のボケ状態を表す後ボケについて柔らかい描写が表現可能となる。一方、第２レンズ群Ｌ２の移動を像側に移動させた場合、第２レンズ群Ｌ２の最も像側のレンズの物体側のレンズ面を通る軸上光線の高さは低くなるため、正の球面収差が発生する。正の球面収差を発生させた場合、合焦している被写体の前方にある物体のボケ状態を表す前ボケについて柔らかい描写が表現可能となる。
【００３３】
この撮像光学系Ｕの構成は、実施例１乃至４及び６乃至９において、すべて同じである。実施例１の撮像光学系Ｕは、焦点距離３４．２０ｍｍ、半画角３２．３２度、Ｆナンバー１．４５であり、実施例１乃至４及び６乃至９において、すべて同じである。実施例１の球面収差可変光学系Ｌの第２レンズ群Ｌ２を光軸方向への移動で負の球面収差を発生させた場合の球面収差可変光学レンズは、焦点距離３４．０７ｍｍ、半画角３２．４２度、Ｆナンバー１．４４である。実施例１の球面収差可変光学系Ｌの第２レンズ群Ｌ２を光軸方向への移動で球面収差を発生させない場合の球面収差可変光学レンズは、焦点距離３４．１９ｍｍ、半画角３２．３３度、Ｆナンバー１．４５である。実施例１の球面収差可変光学系Ｌの第２レンズ群Ｌ２を光軸方向への移動で正の球面収差を発生させた場合の球面収差可変光学レンズは、焦点距離３４．３０ｍｍ、半画角３２．２５度、Ｆナンバー１．４５である。
【００３４】
図２（ａ）は、球面収差可変光学系Ｌの第２レンズ群Ｌ２を光軸方向への移動で球面収差を発生させない場合の無限遠合焦時の縦収差図を示す。図２（ｂ）は、球面収差可変光学系Ｌの第２レンズ群Ｌ２を光軸方向への移動で負の球面収差を発生させた場合の無限遠合焦時の縦収差図を示す。図２（ｃ）は、球面収差可変光学系Ｌの第２レンズ群Ｌ２を光軸方向への移動で正の球面収差を発生させた場合の無限遠合焦時の縦収差図を示す。なお、図１９に示した実施例１における撮像光学系のみからなるレンズ装置の無限遠合焦時の縦収差図は実施例１乃至４及び６乃至９において同様である。縦収差図は、左から順に、球面収差、非点収差、歪曲、倍率色収差を表している。球面収差と倍率色収差を示す図において、実線のｄはｄ線（５８７．６ｎｍ）、破線のｇはｇ線（４３５．８ｎｍ）を表している。また、非点収差を示す図において、実線の△Ｓはｄ線のサジタル像面、破線の△Ｍはｄ線のメリディオナル像面である。また、歪曲を示す図は、ｄ線における歪曲を表している。倍率色収差における二点鎖線はｇ線である。ωは半画角、ＦｎｏはＦナンバーである。縦収差図は、球面収差０．２ｍｍ、非点収差は０．２ｍｍ、歪曲は５％、倍率色収差０．０５ｍｍのスケールで描かれている。本実施例の各条件式対応値は表１に示すように、本実施例は（１）、（２）、（４）〜（６）式を満足しており、小型かつ筒素な構造の球面収差可変光学系が得られる。
【実施例２】
【００３５】
図３は本発明の実施例２の球面収差可変光学レンズの無限遠物体に合焦しているときのレンズ断面図である。実施例２においては、撮像光学系Ｕの構成は実施例１と全て同じである。実施例２に係る球面収差可変光学系Ｌの各レンズ群のレンズ構成について説明する。正の屈折力を有する第１レンズ群Ｌ１は、物体側の面が凸でメニスカス形状の正レンズで構成されている。正の屈折力を有する第２レンズ群Ｌ２は、物体側の面が凸でメニスカス形状の負レンズと正レンズで構成されている。負の屈折力を有する第３レンズ群Ｌ３は、物体側の面が凹でメニスカス形状の負レンズで構成されている。第２レンズ群Ｌ２は独立して光軸方向に移動し、球面収差の形状を変更するレンズ群である。
【００３６】
実施例２の球面収差可変光学系Ｌの第２レンズ群Ｌ２を光軸方向への移動で負の球面収差を発生させた場合の球面収差可変光学レンズは、焦点距離３４．１０ｍｍ、半画角３２．４０度、Ｆナンバー１．４５である。実施例２の球面収差可変光学系Ｌの第２レンズ群Ｌ２を光軸方向への移動で球面収差を発生させない場合の球面収差可変光学レンズは、焦点距離３４．１９ｍｍ、半画角３２．３３度、Ｆナンバー１．４５である。実施例２の球面収差可変光学系Ｌの第２レンズ群Ｌ２を光軸方向への移動で正の球面収差を発生させた場合の球面収差可変光学レンズは、焦点距離３４．２８ｍｍ、半画角３２．２６度、Ｆナンバー１．４５である。
【００３７】
図４（ａ）は、球面収差可変光学系Ｌの第２レンズ群Ｌ２を光軸方向への移動で球面収差を発生させない場合の無限遠合焦時の縦収差図を示す。図４（ｂ）は、球面収差可変光学系Ｌの第２レンズ群Ｌ２を光軸方向への移動で負の球面収差を発生させた場合の無限遠合焦時の縦収差図を示す。図４（ｃ）は、球面収差可変光学系Ｌの第２レンズ群Ｌ２を光軸方向への移動で正の球面収差を発生させた場合の無限遠合焦時の縦収差図を示す。なお、図１９に示した実施例２における撮像光学系Ｕのみからなるレンズ装置の無限遠合焦時の収差図は、実施例１乃至４及び６乃至９において、同様である。本実施例の各条件式対応値は表１に示すように、本実施例は（１）、（２）、（４）〜（６）式を満足しており、小型かつ筒素な構造の球面収差可変光学系が得られる。
【実施例３】
【００３８】
図５は本発明の実施例３の球面収差可変光学レンズの無限遠物体に合焦しているときのレンズ断面図である。実施例３においては、撮像光学系Ｕの構成は実施例１と全て同じである。実施例３に係る球面収差可変光学系Ｌの各レンズ群のレンズ構成について説明する。正の屈折力を有する第１レンズ群Ｌ１は、物体側の面が凸でメニスカス形状の正レンズで構成されている。正の屈折力を有する第２レンズ群Ｌ２は、物体側の面が凹でメニスカス形状の負レンズで構成されている。負の屈折力を有する第３レンズ群Ｌ３は、負レンズと正レンズが接合された接合レンズで構成されている。第２レンズ群Ｌ２は独立して光軸方向に移動し、球面収差の形状を変更するレンズ群である。
【００３９】
実施例３の球面収差可変光学系Ｌの第２レンズ群Ｌ２を光軸方向への移動で負の球面収差を発生させた場合の球面収差可変光学レンズは、焦点距離３３．９９ｍｍ、半画角３２．４７度、Ｆナンバー１．４４である。実施例３の球面収差可変光学系Ｌの第２レンズ群Ｌ２を光軸方向への移動で球面収差を発生させない場合の球面収差可変光学レンズは、焦点距離３４．１９ｍｍ、半画角３２．３２度、Ｆナンバー１．４５である。実施例３の球面収差可変光学系Ｌの第２レンズ群Ｌ２を光軸方向への移動で正の球面収差を発生させた場合の球面収差可変光学レンズは、焦点距離３４．４６ｍｍ、半画角３２．１２度、Ｆナンバー１．４６である。
【００４０】
図６（ａ）は、球面収差可変光学系Ｌの第２レンズ群Ｌ２を光軸方向への移動で球面収差を発生させない場合の無限遠合焦時の縦収差図を示す。図６（ｂ）は、球面収差可変光学系Ｌの第２レンズ群Ｌ２を光軸方向への移動で負の球面収差を発生させた場合の無限遠合焦時の縦収差図を示す。図６（ｃ）は、球面収差可変光学系Ｌの第２レンズ群Ｌ２を光軸方向への移動で正の球面収差を発生させた場合の無限遠合焦時の縦収差図を示す。なお、図１９に示した実施例３における撮像光学系Ｕのみからなるレンズ装置の無限遠合焦時の収差図は、実施例１乃至４及び６乃至９において、同様である。本実施例の各条件式対応値は表１に示すように、本実施例は（１）、（２）、（４）〜（６）式を満足しており、小型かつ筒素な構造の球面収差可変光学系が得られる。
【実施例４】
【００４１】
図７は本発明の実施例４の球面収差可変光学レンズの無限遠物体に合焦しているときのレンズ断面図である。実施例４においては、撮像光学系Ｕの構成は実施例１と全て同じである。実施例４に係る球面収差可変光学系Ｌの各レンズ群のレンズ構成について説明する。正の屈折力を有する第１レンズ群Ｌ１は、物体側の面が凸でメニスカス形状の正レンズと物体側の面が凸でメニスカス形状の負レンズが接合された接合レンズで構成されている。正の屈折力を有する第２レンズ群Ｌ２は、物体側の面が凸でメニスカス形状の負レンズと正レンズが接合された接合レンズで構成されている。負の屈折力を有する第３レンズ群Ｌ３は、物体側の面が凹でメニスカス形状の負レンズで構成されている。第２レンズ群Ｌ２は独立して光軸方向に移動し、球面収差の形状を変更するレンズ群である。
【００４２】
実施例４の球面収差可変光学系Ｌの第２レンズ群Ｌ２を光軸方向への移動で負の球面収差を発生させた場合の球面収差可変光学レンズは、焦点距離３４．１０ｍｍ、半画角３２．３９度、Ｆナンバー１．４５である。実施例４の球面収差可変光学系Ｌの第２レンズ群Ｌ２を光軸方向への移動で球面収差を発生させない場合の球面収差可変光学レンズは、焦点距離３４．１９ｍｍ、半画角３２．３３度、Ｆナンバー１．４５である。実施例４の球面収差可変光学系Ｌの第２レンズ群Ｌ２を光軸方向への移動で正の球面収差を発生させた場合の球面収差可変光学レンズは、焦点距離３４．２８ｍｍ、半画角３２．２６度、Ｆナンバー１．４５である。
【００４３】
図８（ａ）は、球面収差可変光学系Ｌの第２レンズ群Ｌ２を光軸方向への移動で球面収差を発生させない場合の無限遠合焦時の縦収差図を示す。球面図８（ｂ）は、収差可変光学系Ｌの第２レンズ群Ｌ２を光軸方向への移動で負の球面収差を発生させた場合の無限遠合焦時の縦収差図を示す。図８（ｃ）は、球面収差可変光学系Ｌの第２レンズ群Ｌ２を光軸方向への移動で正の球面収差を発生させた場合の無限遠合焦時の縦収差図を示す。なお、図１９に示した実施例４における撮像光学系Ｕのみからなるレンズ装置の無限遠合焦時の収差図は、実施例１乃至４及び６乃至９において、同様である。本実施例の各条件式対応値は表１に示すように、本実施例は（１）、（２）、（４）〜（６）式を満足しており、小型かつ筒素な構造の球面収差可変光学系が得られる。
【実施例５】
【００４４】
図９は本発明の実施例５の球面収差可変光学レンズの無限遠物体に合焦しているときのレンズ断面図である。撮像光学系Ｕは全体として正の屈折力を有する。ＳＰは開口絞りである。球面収差可変光学系Ｌの構成は実施例１と同じであり、正の屈折力を有する第１レンズ群Ｌ１は、物体側の面が凸でメニスカス形状の正レンズで構成されている。正の屈折力を有する第２レンズ群Ｌ２は、負レンズと正レンズが接合された接合レンズで構成されている。負の屈折力を有する第３レンズ群Ｌ３は、物体側の面が凹でメニスカス形状の負レンズで構成されている。第２レンズ群Ｌ２は独立して光軸方向に移動し、球面収差の形状を変更するレンズ群である。ＩＰは像面である。
【００４５】
実施例５の撮像光学系Ｕは、焦点距離２４．５５ｍｍ、半画角４１．３９度、Ｆナンバー１．４５である。実施例５の球面収差可変光学系Ｌの第２レンズ群Ｌ２を光軸方向への移動で負の球面収差を発生させた場合の球面収差可変光学レンズは、焦点距離２４．４６ｍｍ、半画角４１．５０度、Ｆナンバー１．４４である。実施例５の球面収差可変光学系Ｌの第２レンズ群Ｌ２を光軸方向への移動で球面収差を発生させない場合の球面収差可変光学レンズは、焦点距離２４．５４ｍｍ、半画角４１．４０度、Ｆナンバー１．４５である。実施例５の球面収差可変光学系Ｌの第２レンズ群Ｌ２を光軸方向への移動で正の球面収差を発生させた場合の球面収差可変光学レンズは、焦点距離２４．６２ｍｍ、半画角４１．３１度、Ｆナンバー１．４５である。
【００４６】
図１０（ａ）は、球面収差可変光学系Ｌの第２レンズ群Ｌ２を光軸方向への移動で球面収差を発生させない場合の無限遠合焦時の縦収差図を示す。図１０（ｂ）は、球面収差可変光学系Ｌの第２レンズ群Ｌ２を光軸方向への移動で負の球面収差を発生させた場合の無限遠合焦時の縦収差図を示す。図１０（ｃ）は、球面収差可変光学系Ｌの第２レンズ群Ｌ２を光軸方向への移動で正の球面収差を発生させた場合の無限遠合焦時の縦収差図を示す。図２０に実施例５における撮像光学系Ｕのみからなるレンズ装置の無限遠合焦時の縦収差図を示す。本実施例の各条件式対応値は表１に示すように、本実施例は（１）、（２）、（４）〜（６）式を満足しており、小型かつ筒素な構造の球面収差可変光学系が得られる。
【実施例６】
【００４７】
図１１は本発明の実施例６の球面収差可変光学レンズの無限遠物体に合焦しているときのレンズ断面図である。実施例６においては、撮像光学系Ｕの構成は実施例１と全て同じである。実施例６に係る球面収差可変光学系Ｌの各レンズ群のレンズ構成について説明する。正の屈折力を有する第１レンズ群Ｌ１は、正レンズで構成されている。正の屈折力を有する第２レンズ群Ｌ２は、負レンズと正レンズが接合された接合レンズで構成されている。負の屈折力を有する第３レンズ群Ｌ３は、物体側の面が凹でメニスカス形状の負レンズで構成されている。第２レンズ群Ｌ２は独立して光軸方向に移動し、球面収差の形状を変更するレンズ群である。
【００４８】
実施例６の球面収差可変光学系Ｌの第２レンズ群Ｌ２を光軸方向への移動で負の球面収差を発生させた場合の球面収差可変光学レンズは、焦点距離３５．８２ｍｍ、半画角３１．１３度、Ｆナンバー１．５２である。実施例６の球面収差可変光学系Ｌの第２レンズ群Ｌ２を光軸方向への移動で球面収差を発生させない場合の球面収差可変光学レンズは、焦点距離３５．９１ｍｍ、半画角３１．０７度、Ｆナンバー１．５２である。実施例６の球面収差可変光学系Ｌの第２レンズ群Ｌ２を光軸方向への移動で正の球面収差を発生させた場合の球面収差可変光学レンズは、焦点距離３６．００ｍｍ、半画角３１．０１度、Ｆナンバー１．５３である。
【００４９】
図１２（ａ）は、球面収差可変光学系Ｌの第２レンズ群Ｌ２を光軸方向への移動で球面収差を発生させない場合の無限遠合焦時の縦収差図を示す。図１２（ｂ）は、球面収差可変光学系Ｌの第２レンズ群Ｌ２を光軸方向への移動で負の球面収差を発生させた場合の無限遠合焦時の縦収差図を示す。図１２（ｃ）は、球面収差可変光学系Ｌの第２レンズ群Ｌ２を光軸方向への移動で正の球面収差を発生させた場合の無限遠合焦時の縦収差図を示す。なお、図１９に示した実施例６における撮像光学系Ｕのみからなるレンズ装置の無限遠合焦時の収差図は、実施例１乃至４及び６乃至９において、同様である。本実施例の各条件式対応値は表１に示すように、本実施例は（１）、（２）、（４）〜（６）式を満足しており、小型かつ筒素な構造の球面収差可変光学系が得られる。
【実施例７】
【００５０】
図１３は本発明の実施例７の球面収差可変光学レンズの無限遠物体に合焦しているときのレンズ断面図である。実施例７においては、撮像光学系Ｕの構成は実施例１と全て同じである。実施例７に係る球面収差可変光学系Ｌの各レンズ群のレンズ構成について説明する。正の屈折力を有する第１レンズ群Ｌ１は、物体側の面が凸でメニスカス形状の正レンズで構成されている。正の屈折力を有する第２レンズ群Ｌ２は、物体側の面が凸でメニスカス形状の負レンズと正レンズで構成されている。負の屈折力を有する第３レンズ群Ｌ３は、物体側の面が凹でメニスカス形状の負レンズで構成されている。第２レンズ群Ｌ２は独立して光軸方向に移動し、球面収差の形状を変更するレンズ群である。
【００５１】
実施例７の球面収差可変光学系Ｌの第２レンズ群Ｌ２を光軸方向への移動で負の球面収差を発生させた場合の球面収差可変光学レンズは、焦点距離３３．３３ｍｍ、半画角３２．９９度、Ｆナンバー１．４１である。実施例７の球面収差可変光学系Ｌの第２レンズ群Ｌ２を光軸方向への移動で球面収差を発生させない場合の球面収差可変光学レンズは、焦点距離３３．５２ｍｍ、半画角３２．８４度、Ｆナンバー１．４２である。実施例７の球面収差可変光学系Ｌの第２レンズ群Ｌ２を光軸方向への移動で正の球面収差を発生させた場合の球面収差可変光学レンズは、焦点距離３３．５６ｍｍ、半画角３２．８１度、Ｆナンバー１．４２である。
【００５２】
図１４（ａ）は、球面収差可変光学系Ｌの第２レンズ群Ｌ２を光軸方向への移動で球面収差を発生させない場合の無限遠合焦時の縦収差図を示す。図１４（ｂ）は、球面収差可変光学系Ｌの第２レンズ群Ｌ２を光軸方向への移動で負の球面収差を発生させた場合の無限遠合焦時の縦収差図を示す。図１４（ｃ）は、球面収差可変光学系Ｌの第２レンズ群Ｌ２を光軸方向への移動で正の球面収差を発生させた場合の無限遠合焦時の縦収差図を示す。なお、図１９に示した実施例７における撮像光学系Ｕのみからなるレンズ装置の無限遠合焦時の収差図は、実施例１乃至４及び６乃至９において、同様である。本実施例の各条件式対応値は表１に示すように、本実施例は（１）、（２）、（４）〜（６）式を満足しており、小型かつ筒素な構造の球面収差可変光学系が得られる。
【実施例８】
【００５３】
図１５は本発明の実施例８の球面収差可変光学レンズの無限遠物体に合焦しているときのレンズ断面図である。実施例８においては、撮像光学系Ｕの構成は実施例１と全て同じである。実施例８に係る球面収差可変光学系Ｌの各レンズ群のレンズ構成について説明する。正の屈折力を有する第１レンズ群Ｌ１は、物体側の面が凸でメニスカス形状の正レンズで構成されている。正の屈折力を有する第２レンズ群Ｌ２は、負レンズと正レンズが接合された接合レンズで構成されている。負の屈折力を有する第３レンズ群Ｌ３は、物体側の面が凹でメニスカス形状の負レンズで構成されている。第２レンズ群Ｌ２は独立して光軸方向に移動し、球面収差の形状を変更するレンズ群である。
【００５４】
実施例８の球面収差可変光学系Ｌの第２レンズ群Ｌ２を光軸方向への移動で負の球面収差を発生させた場合の球面収差可変光学レンズは、焦点距離３３．９９ｍｍ、半画角３２．４８度、Ｆナンバー１．４４である。実施例８の球面収差可変光学系Ｌの第２レンズ群Ｌ２を光軸方向への移動で球面収差を発生させない場合の球面収差可変光学レンズは、焦点距離３３．９８ｍｍ、半画角３２．４９度、Ｆナンバー１．４４である。実施例８の球面収差可変光学系Ｌの第２レンズ群Ｌ２を光軸方向への移動で正の球面収差を発生させた場合の球面収差可変光学レンズは、焦点距離３３．９５ｍｍ、半画角３２．５０度、Ｆナンバー１．４４である。
【００５５】
図１６（ａ）は、球面収差可変光学系Ｌの第２レンズ群Ｌ２を光軸方向への移動で球面収差を発生させない場合の無限遠合焦時の縦収差図を示す。図１６（ｂ）は、球面収差可変光学系Ｌの第２レンズ群Ｌ２を光軸方向への移動で負の球面収差を発生させた場合の無限遠合焦時の縦収差図を示す。図１６（ｃ）は、球面収差可変光学系Ｌの第２レンズ群Ｌ２を光軸方向への移動で正の球面収差を発生させた場合の無限遠合焦時の縦収差図を示す。なお、図１９に示した実施例８における撮像光学系Ｕのみからなるレンズ装置の無限遠合焦時の収差図は、実施例１乃至４及び６乃至９において、同様である。本実施例の各条件式対応値は表１に示すように、本実施例は（１）、（２）、（４）〜（６）式を満足しており、小型かつ筒素な構造の球面収差可変光学系が得られる。
【実施例９】
【００５６】
図１７は本発明の実施例９の球面収差可変光学レンズの無限遠物体に合焦しているときのレンズ断面図である。実施例９においては、撮像光学系Ｕの構成は実施例１と全て同じである。実施例９に係る球面収差可変光学系Ｌの各レンズ群のレンズ構成について説明する。正の屈折力を有する第１レンズ群Ｌ１は、物体側の面が凸でメニスカス形状の正レンズで構成されている。正の屈折力を有する第２レンズ群Ｌ２は、負レンズと正レンズが接合された接合レンズで構成されている。負の屈折力を有する第３レンズ群Ｌ３は、物体側の面が凹でメニスカス形状の負レンズで構成されている。第２レンズ群Ｌ２は独立して光軸方向に移動し、球面収差の形状を変更するレンズ群である。
【００５７】
実施例９の球面収差可変光学系Ｌの第２レンズ群Ｌ２を光軸方向への移動で負の球面収差を発生させた場合の球面収差可変光学レンズは、焦点距離３２．３１ｍｍ、半画角３３．８１度、Ｆナンバー１．３７である。実施例９の球面収差可変光学系Ｌの第２レンズ群Ｌ２を光軸方向への移動で球面収差を発生させない場合の球面収差可変光学レンズは、焦点距離３２．４９ｍｍ、半画角３３．６６度、Ｆナンバー１．３８である。実施例９の球面収差可変光学系Ｌの第２レンズ群Ｌ２を光軸方向への移動で正の球面収差を発生させた場合の球面収差可変光学レンズは、焦点距離３２．６７ｍｍ、半画角３３．５２度、Ｆナンバー１．３８である。
【００５８】
図１８（ａ）は、球面収差可変光学系Ｌの第２レンズ群Ｌ２を光軸方向への移動で球面収差を発生させない場合の無限遠合焦時の縦収差図を示す。図１８（ｂ）は、球面収差可変光学系Ｌの第２レンズ群Ｌ２を光軸方向への移動で負の球面収差を発生させた場合の無限遠合焦時の縦収差図を示す。図１８（ｃ）は、球面収差可変光学系Ｌの第２レンズ群Ｌ２を光軸方向への移動で正の球面収差を発生させた場合の無限遠合焦時の縦収差図を示す。なお、図１９に示した実施例９における撮像光学系Ｕのみからなるレンズ装置の無限遠合焦時の収差図は、実施例１乃至４及び６乃至９において、同様である。本実施例の各条件式対応値は表１に示すように、本実施例は（１）、（２）、（４）〜（６）式を満足しており、小型かつ筒素な構造の球面収差可変光学系が得られる。
【００５９】
以下、本実施例に対応する数値実施例を示す。球面収差可変光学系Ｌの第２レンズ群Ｌ２の移動によって、負の球面収差を発生させた状態をｕｎｄｅｒ、正の球面収差を発生させた状態をｏｖｅｒ、撮像光学系Ｕと同等の球面収差を発生させた状態をｎｏｒｍａｌと表記する。実施例中の非球面形状は次の式で表される。また、表１に本実施例の各条件式対応値を示す。
【００６０】
【数１】
2019207267.tif 000003
ここでＡ３乃至Ａ１２は非球面係数であり、非球面形状は光軸からの高さＨの位置における面頂点を基準とした光軸方向の変位ｘで表される。但し、Ｒは近軸曲率半径、Ｋは円錐定数である。
【００６１】
図２１は撮像光学系の像側に各実施例の球面収差可変光学系が一体的に構成された撮像装置（撮像部）（テレビカメラシステム）の概略図である。図２１において１０１は実施例１〜９のいずれかの球面収差可変光学系を含むレンズ装置である。１０２はカメラ装置である。レンズ装置１０１はカメラ装置１０２に対して着脱可能となっている。１０３はカメラ装置１０２にレンズ装置１０１を装着することで構成される撮像装置である。レンズ装置１０１は撮像光学系Ｕ、球面収差可変光学系Ｌを有している。撮像光学系Ｕは合焦用レンズ群が含まれている。ＳＰは開口絞りである。１１０は撮像光学系Ｕ中の合焦用レンズ群を光軸方向に駆動するヘリコイドやカム等の駆動機構である。１１３、１１４は駆動機構１１０及び開口絞りＳＰを電動駆動するモータ（駆動手段）である。１１１、１１２は、撮像光学系Ｕの光軸上の位置や、開口絞りＳＰの絞り径を検出するためのエンコーダやポテンショメータ、あるいはフォトセンサ等の検出器である。カメラ装置１０２において、１１６はカメラ装置１０２内の光学フィルタや色分解光学系に相当するガラスブロック、１１７はレンズ装置１０１によって形成された被写体像を受光するＣＣＤセンサやＣＭＯＳセンサ等の固体撮像素子（光電変換素子）である。また、１１５、１１８はカメラ装置１０２及びレンズ装置１０１の各種の駆動を制御するＣＰＵである。
【００６２】
図２２は撮像光学系の像側に各実施例の球面収差可変光学系が着脱可能な球面収差可変アダプタ装置として構成された撮像装置（テレビカメラシステム）の概略図である。図２２において２０１は実施例１〜９のいずれかのレンズ装置である。２０４は実施例１〜９のいずれかの球面収差可変光学系であるアダプタ装置である。２０２はカメラ装置である。アダプタ装置２０４は、その像側及び物体側に構成される装着部材によって、レンズ装置２０１とカメラ装置２０２に対して着脱可能となっている。２０３はカメラ装置２０２にアダプタ装置２０４とレンズ装置２０１を装着することで構成される撮像装置である。レンズ装置２０１は撮像光学系Ｕ、アダプタ装置２０４は球面収差可変光学系Ｌを有している。撮像光学系Ｕは合焦用レンズ群が含まれている。ＳＰは開口絞りである。２１０は撮像光学系Ｕ中の合焦用レンズ群を光軸方向に駆動するヘリコイドやカム等の駆動機構である。２１３、２１４は駆動機構２１０及び開口絞りＳＰを電動駆動するモータ（駆動手段）である。２１１、２１２は、撮像光学系Ｕの光軸上の位置や、開口絞りＳＰの絞り径を検出するためのエンコーダやポテンショメータ、あるいはフォトセンサ等の検出器である。カメラ装置２０２において、２１６はカメラ装置２０２内の光学フィルタや色分解光学系に相当するガラスブロック、２１７はレンズ装置２０１によって形成された被写体像を受光するＣＣＤセンサやＣＭＯＳセンサ等の固体撮像素子（光電変換素子）である。また、２１５、２１８はカメラ装置２０２及びレンズ装置２０１の各種の駆動を制御するＣＰＵである。
【００６３】
（数値実施例１）
単位 mm
面データ
面番号       r        d      nd         vd       有効径
1        320.116    2.80   1.51633    64.1       51.99
2         41.977    5.78                         45.00
3        174.176    2.30   1.51823    58.9       44.56
4         39.095   14.53                         41.15
5         83.274    4.44   1.77250    49.6       39.37
6       -395.333    6.26                         38.88
7         57.067    5.14   1.77250    49.6       35.63
8       -200.681    8.71                         35.34
9        607.365    6.47   1.77250    49.6       30.62
10        -28.883    1.50   1.65412    39.7       30.02
11         57.419    4.23                         26.96
12(絞り)    ∞       7.82                         25.98
13        -19.812    1.60   1.80518    25.4       24.65
14        162.417    4.90   1.83481    42.7       27.82
15*       -75.797    0.20                         29.43
16       -470.465    6.60   1.77250    49.6       30.27
17        -32.806    0.20                         32.76
18       -154.187    6.32   1.77250    49.6       35.98
19        -34.950    3.33                         37.18
20         90.313    2.54   1.84666    23.8       40.90
21        114.916  (可変)                         40.55
22      -2328.457    1.50   1.77250    49.6       40.49
23         74.461    7.03   1.48749    70.2       40.48
24        -94.128  (可変)                         40.69
25       -111.186    1.50   1.88300    40.8       40.36
26       -438.335  (可変)                         40.76
像面        ∞   
非球面データ
第15面
K = 4.82454e+000  A 4= 1.27386e-005  A 6= 2.46580e-009  A 8=-1.63965e-011  A10= 1.16481e-014  
normal   under     over
焦点距離      34.19    34.07    34.30  
Fナンバー      1.45     1.44     1.45  
半画角        32.33    32.42    32.25  
像高          21.64    21.64    21.64  
レンズ全長   132.38   132.37   132.37  
BF            13.32    13.31    13.31  
d21            8.92     5.82    11.74  
d24            4.44     7.54     1.62  
d26           13.32    13.31    13.31  
入射瞳位置    35.84    35.84    35.84  
射出瞳位置   -57.98   -57.66   -58.27  
前側主点位置  53.63    53.55    53.70  
後側主点位置 -20.87   -20.76   -20.99  
レンズ群データ
群  始面    焦点距離  レンズ構成長  前側主点位置  後側主点位置
U    1      34.20        89.80        56.64          5.15
L1  20     475.72         2.54        -4.82         -6.13
L2  22     891.37         8.53        22.91         17.78
L3  25    -169.08         1.50        -0.27         -1.07
【００６４】
（数値実施例２）
単位 mm
面データ
面番号       r        d      nd         vd       有効径
1        320.116    2.80   1.51633    64.1       51.99
2         41.977    5.78                         45.00
3        174.176    2.30   1.51823    58.9       44.56
4         39.095   14.53                         41.15
5         83.274    4.44   1.77250    49.6       39.37
6       -395.333    6.26                         38.88
7         57.067    5.14   1.77250    49.6       35.63
8       -200.681    8.71                         35.34
9        607.365    6.47   1.77250    49.6       30.62
10        -28.883    1.50   1.65412    39.7       30.02
11         57.419    4.23                         26.96
12(絞り)    ∞       7.82                         25.98
13        -19.812    1.60   1.80518    25.4       24.65
14        162.417    4.90   1.83481    42.7       27.82
15*       -75.797    0.20                         29.43
16       -470.465    6.60   1.77250    49.6       30.27
17        -32.806    0.20                         32.76
18       -154.187    6.32   1.77250    49.6       35.98
19        -34.950    4.33                         37.18
20         98.176    2.63   1.84666    23.8       40.95
21        135.987  (可変)                         40.64
22        761.043    2.00   1.75500    52.3       40.58
23        120.959    2.12                         40.43
24        362.842    4.65   1.49700    81.5       40.62
25       -101.142  (可変)                         40.79
26       -110.857    2.00   1.90366    31.3       40.37
27       -390.928  (可変)                         40.81
像面        ∞   
非球面データ
第15面
K = 4.82454e+000  A 4= 1.27386e-005  A 6= 2.46580e-009  A 8=-1.63965e-011  A10= 1.16481e-014  
normal   under     over
焦点距離      34.19    34.10    34.28  
Fナンバー      1.45     1.45     1.45  
半画角        32.33    32.40    32.26  
像高          21.64    21.64    21.64  
レンズ全長   132.33   132.32   132.32  
BF            14.88    14.87    14.87  
d21            5.47     3.26     7.92  
d25            4.45     6.66     2.00  
d27           14.88    14.87    14.87  
入射瞳位置    35.84    35.84    35.84  
射出瞳位置   -58.91   -58.67   -59.19  
前側主点位置  54.19    54.13    54.25  
後側主点位置 -19.31   -19.23   -19.41  
レンズ群データ
群  始面    焦点距離  レンズ構成長  前側主点位置  後側主点位置
U    1      34.20        89.80        56.64          5.15
L1  20     404.14         2.63        -3.58         -4.96
L2  22     860.17         8.77        24.74         18.90
L3  26    -171.81         2.00        -0.42         -1.47
【００６５】
（数値実施例３）
単位 mm
面データ
面番号       r        d      nd         vd       有効径
1        320.116    2.80   1.51633    64.1       51.99
2         41.977    5.78                         45.00
3        174.176    2.30   1.51823    58.9       44.56
4         39.095   14.53                         41.15
5         83.274    4.44   1.77250    49.6       39.37
6       -395.333    6.26                         38.88
7         57.067    5.14   1.77250    49.6       35.63
8       -200.681    8.71                         35.34
9        607.365    6.47   1.77250    49.6       30.62
10        -28.883    1.50   1.65412    39.7       30.02
11         57.419    4.23                         26.96
12(絞り)    ∞       7.82                         25.98
13        -19.812    1.60   1.80518    25.4       24.65
14        162.417    4.90   1.83481    42.7       27.82
15*       -75.797    0.20                         29.43
16       -470.465    6.60   1.77250    49.6       30.27
17        -32.806    0.20                         32.76
18       -154.187    6.32   1.77250    49.6       35.98
19        -34.950    4.00                         37.18
20        104.090    2.73   1.85478    24.8       41.07
21        158.581  (可変)                         40.79
22       -106.217    2.44   1.90366    31.3       40.62
23        -88.417  (可変)                         40.94
24       -127.815    2.00   1.89190    37.1       39.94
25         51.540    7.45   1.65160    58.5       40.56
26       -163.279  (可変)                         41.01
像面        ∞   
非球面データ
第15面
K = 4.82454e+000  A 4= 1.27386e-005  A 6= 2.46580e-009  A 8=-1.63965e-011  A10= 1.16481e-014  
normal   under     over
焦点距離      34.19    33.99    34.46  
Fナンバー      1.45     1.44     1.46  
半画角        32.32    32.47    32.12  
像高          21.64    21.64    21.64  
レンズ全長   133.52   133.35   133.72  
BF            10.32    10.15    10.52  
d21            9.57     6.93    13.28  
d23            5.21     7.85     1.50  
d26           10.32    10.15    10.52  
入射瞳位置    35.84    35.84    35.84  
射出瞳位置   -61.30   -60.96   -61.80  
前側主点位置  53.71    53.58    53.88  
後側主点位置 -23.87   -23.85   -23.95  
レンズ群データ
群  始面    焦点距離  レンズ構成長  前側主点位置  後側主点位置
U    1      34.20        89.80        56.64          5.15
L1  20     346.40         2.73        -2.75         -4.19
L2  22     548.18         2.44         7.18          5.98
L3  24    -134.32         9.45        -2.33         -8.06
【００６６】
（数値実施例４）
単位 mm
面データ
面番号       r        d      nd         vd       有効径
1        320.116    2.80   1.51633    64.1       51.99
2         41.977    5.78                         45.00
3        174.176    2.30   1.51823    58.9       44.56
4         39.095   14.53                         41.15
5         83.274    4.44   1.77250    49.6       39.37
6       -395.333    6.26                         38.88
7         57.067    5.14   1.77250    49.6       35.63
8       -200.681    8.71                         35.34
9        607.365    6.47   1.77250    49.6       30.62
10        -28.883    1.50   1.65412    39.7       30.02
11         57.419    4.23                         26.96
12(絞り)    ∞       7.82                         25.98
13        -19.812    1.60   1.80518    25.4       24.65
14        162.417    4.90   1.83481    42.7       27.82
15*       -75.797    0.20                         29.43
16       -470.465    6.60   1.77250    49.6       30.27
17        -32.806    0.20                         32.76
18       -154.187    6.32   1.77250    49.6       35.98
19        -34.950    4.33                         37.18
20        103.163    3.10   1.84666    23.8       40.93
21        217.442    2.00   1.62041    60.3       40.64
22        119.842  (可変)                         40.25
23       2574.050    2.00   1.88300    40.8       40.22
24         88.560    6.33   1.49700    81.5       40.15
25       -101.599  (可変)                         40.35
26       -115.563    2.00   1.90366    31.3       40.05
27       -642.033  (可変)                         40.53
像面        ∞   
非球面データ
第15面
K = 4.82454e+000  A 4= 1.27386e-005  A 6= 2.46580e-009  A 8=-1.63965e-011  A10= 1.16481e-014  
normal   under     over
焦点距離      34.19    34.10    34.28  
Fナンバー      1.45     1.45     1.45  
半画角        32.33    32.39    32.26  
像高          21.64    21.64    21.64  
レンズ全長   133.46   133.45   133.45  
BF            12.95    12.94    12.94  
d22            6.11     3.62     8.95  
d25            4.84     7.33     2.00  
d27           12.95    12.94    12.94  
入射瞳位置    35.84    35.84    35.84  
射出瞳位置   -55.63   -55.43   -55.87  
前側主点位置  52.98    52.93    53.04  
後側主点位置 -21.24   -21.16   -21.34  
レンズ群データ
群  始面    焦点距離  レンズ構成長  前側主点位置  後側主点位置
U    1      34.20        89.80        56.64          5.15
L1  20     471.43         5.10        -7.94        -10.67
L2  23    1042.71         8.33        22.26         17.32
L3  26    -156.24         2.00        -0.23         -1.28
【００６７】
（数値実施例５）
単位 mm
面データ
面番号       r        d      nd         vd       有効径
1         61.880    2.99   1.83481    42.7       54.06
2         27.026    8.34                         43.43
3         71.747    3.00   1.58313    59.4       43.00
4*        25.706    6.93                         38.65
5         92.706    4.95   1.88300    40.8       38.41
6       -127.713    0.70                         37.98
7        -97.467    2.50   1.49700    81.5       37.74
8         39.023    5.83   1.83481    42.7       34.40
9      -1070.546    3.79                         33.55
10         46.333    5.98   1.83481    42.7       27.33
11        -47.248    1.90   1.54814    45.8       25.68
12         21.482    5.07                         23.10
13        -53.687    1.40   1.65412    39.7       23.14
14        197.561    0.15                         23.87
15         29.239    6.73   1.43387    95.1       25.16
16        -44.333    2.59                         25.21
17(絞り)    ∞       7.21                         24.21
18        -17.904    3.78   1.60311    60.6       23.57
19        -15.383    2.15   1.80518    25.4       24.58
20        -48.206    0.25                         28.73
21         97.922    8.54   1.61800    63.3       31.70
22        -29.308    0.25                         33.26
23*      -162.434    5.28   1.80400    46.6       34.68
24        -36.488    2.77                         36.15
25         90.313    2.54   1.84666    23.8       40.90
26        114.916  (可変)                         40.55
27      -2328.457    1.50   1.77250    49.6       40.49
28         74.461    7.03   1.48749    70.2       40.48
29        -94.128  (可変)                         40.69
30       -111.186    1.50   1.88300    40.8       40.36
31       -438.335  (可変)                         40.76
像面        ∞   
非球面データ
第4面
K = 0.00000e+000  A 4=-5.57660e-006  A 6=-9.40593e-009  A 8= 5.84881e-012  A10=-3.17028e-014  
第23面
K = 0.00000e+000  A 4=-1.09975e-005  A 6=-1.48146e-009  A 8=-9.36205e-012  A10=-5.31145e-015  
normal   under     over
焦点距離      24.54    24.46    24.62  
Fナンバー      1.45     1.44     1.45  
半画角        41.40    41.50    41.31  
像高          21.64    21.64    21.64  
レンズ全長   132.33   132.32   132.32  
BF            13.33    13.32    13.31  
d26            8.92     5.82    11.74  
d29            4.44     7.54     1.62  
d31           13.33    13.32    13.31  
入射瞳位置    29.97    29.97    29.97  
射出瞳位置   -63.02   -62.70   -63.33  
前側主点位置  46.63    46.56    46.68  
後側主点位置 -11.22   -11.14   -11.31  
レンズ群データ
群  始面    焦点距離  レンズ構成長  前側主点位置  後側主点位置
U    1      24.55        90.31        48.18         14.25
L1  25     475.72         2.54        -4.82         -6.13
L2  27     891.37         8.53        22.91         17.78
L3  30    -169.08         1.50        -0.27         -1.07
【００６８】
（数値実施例６）
単位 mm
面データ
面番号       r        d      nd         vd       有効径
1        320.116    2.80   1.51633    64.1       51.99
2         41.977    5.78                         45.00
3        174.176    2.30   1.51823    58.9       44.56
4         39.095   14.53                         41.15
5         83.274    4.44   1.77250    49.6       39.37
6       -395.333    6.26                         38.88
7         57.067    5.14   1.77250    49.6       35.63
8       -200.681    8.71                         35.34
9        607.365    6.47   1.77250    49.6       30.62
10        -28.883    1.50   1.65412    39.7       30.02
11         57.419    4.23                         26.96
12(絞り)    ∞       7.82                         25.98
13        -19.812    1.60   1.80518    25.4       24.65
14        162.417    4.90   1.83481    42.7       27.82
15*       -75.797    0.20                         29.43
16       -470.465    6.60   1.77250    49.6       30.27
17        -32.806    0.20                         32.76
18       -154.187    6.32   1.77250    49.6       35.98
19        -34.950    3.36                         37.18
20       1920.251    2.49   1.91650    31.6       39.74
21       -505.053  (可変)                         39.76
22       -260.947    1.50   1.75500    52.3       39.66
23        121.089    4.95   1.56732    42.8       39.79
24       -111.258  (可変)                         39.91
25       -102.687    1.50   1.88300    40.8       39.30
26       -469.153  (可変)                         39.71
像面        ∞   
非球面データ
第15面
K = 4.82454e+000  A 4= 1.27386e-005  A 6= 2.46580e-009  A 8=-1.63965e-011  A10= 1.16481e-014  
normal   under     over
焦点距離      35.91    35.82    36.00  
Fナンバー      1.52     1.52     1.53  
半画角        31.07    31.13    31.01  
像高          21.64    21.64    21.64  
レンズ全長   133.70   133.68   133.69  
BF            19.05    19.03    19.04  
d21            5.48     2.36     8.96  
d24            5.57     8.69     2.09  
d26           19.05    19.03    19.04  
入射瞳位置    35.84    35.84    35.84  
射出瞳位置   -53.38   -53.19   -53.61  
前側主点位置  53.94    53.89    54.00  
後側主点位置 -16.86   -16.79   -16.96  
レンズ群データ
群  始面    焦点距離  レンズ構成長  前側主点位置  後側主点位置
U    1      34.20        89.80        56.64          5.15
L1  20     436.53         2.49         1.03         -0.27
L2  22    1358.06         6.45        26.02         22.43
L3  25    -149.17         1.50        -0.22         -1.02
【００６９】
（数値実施例７）
単位 mm
面データ
面番号       r        d      nd         vd       有効径
1        320.116    2.80   1.51633    64.1       51.99
2         41.977    5.78                         45.00
3        174.176    2.30   1.51823    58.9       44.56
4         39.095   14.53                         41.15
5         83.274    4.44   1.77250    49.6       39.37
6       -395.333    6.26                         38.88
7         57.067    5.14   1.77250    49.6       35.63
8       -200.681    8.71                         35.34
9        607.365    6.47   1.77250    49.6       30.62
10        -28.883    1.50   1.65412    39.7       30.02
11         57.419    4.23                         26.96
12(絞り)    ∞       7.82                         25.98
13        -19.812    1.60   1.80518    25.4       24.65
14        162.417    4.90   1.83481    42.7       27.82
15*       -75.797    0.20                         29.43
16       -470.465    6.60   1.77250    49.6       30.27
17        -32.806    0.20                         32.76
18       -154.187    6.32   1.77250    49.6       35.98
19        -34.950    4.31                         37.18
20         63.557    2.58   1.95906    17.5       41.51
21         73.649  (可変)                         40.93
22        183.292    2.00   2.00330    28.3       40.89
23         90.289    3.30                         40.50
24        215.838    5.00   1.48749    70.2       40.94
25       -105.290  (可変)                         41.11
26       -103.281    2.00   2.00330    28.3       40.71
27       -247.791  (可変)                         41.23
像面        ∞   
非球面データ
第15面
K = 4.82454e+000  A 4= 1.27386e-005  A 6= 2.46580e-009  A 8=-1.63965e-011  A10= 1.16481e-014  
normal   under     over
焦点距離      33.52    33.33    33.56  
Fナンバー      1.42     1.41     1.42  
半画角        32.84    32.99    32.81  
像高          21.64    21.64    21.64  
レンズ全長   131.90   131.81   131.80  
BF            12.01    11.32    11.31  
d21            6.10     4.59     9.49  
d25            4.80     6.90     2.00  
d27           12.01    11.32    11.31  
入射瞳位置    35.84    35.84    35.84  
射出瞳位置   -61.01   -61.07   -61.76  
前側主点位置  53.97    53.82    53.98  
後側主点位置 -21.51   -22.01   -22.25  
レンズ群データ
群  始面    焦点距離  レンズ構成長  前側主点位置  後側主点位置
U    1      34.20        89.80        56.64          5.15
L1  20     429.84         2.58        -7.37         -8.54
L2  22     688.93        10.30        23.68         16.55
L3  26    -177.74         2.00        -0.72         -1.72
【００７０】
（数値実施例８）
単位 mm
面データ
面番号       r        d      nd         vd       有効径
1        320.116    2.80   1.51633    64.1       51.99
2         41.977    5.78                         45.00
3        174.176    2.30   1.51823    58.9       44.56
4         39.095   14.53                         41.15
5         83.274    4.44   1.77250    49.6       39.37
6       -395.333    6.26                         38.88
7         57.067    5.14   1.77250    49.6       35.63
8       -200.681    8.71                         35.34
9        607.365    6.47   1.77250    49.6       30.62
10        -28.883    1.50   1.65412    39.7       30.02
11         57.419    4.23                         26.96
12(絞り)    ∞       7.82                         25.98
13        -19.812    1.60   1.80518    25.4       24.65
14        162.417    4.90   1.83481    42.7       27.82
15*       -75.797    0.20                         29.43
16       -470.465    6.60   1.77250    49.6       30.27
17        -32.806    0.20                         32.76
18       -154.187    6.32   1.77250    49.6       35.98
19        -34.950    3.32                         37.18
20         80.780    2.59   1.84666    23.8       41.09
21        101.174  (可変)                         40.69
22      -2297.183    1.50   1.71300    53.9       40.51
23         55.982    7.13   1.48749    70.2       40.48
24       -112.968  (可変)                         40.64
25       -147.109    1.50   1.90366    31.3       40.61
26       -610.052  (可変)                         40.93
像面        ∞   
非球面データ
第15面
K = 4.82454e+000  A 4= 1.27386e-005  A 6= 2.46580e-009  A 8=-1.63965e-011  A10= 1.16481e-014  
normal   under     over
焦点距離      33.98    33.99    33.95  
Fナンバー      1.44     1.44     1.44  
半画角        32.49    32.48    32.50  
像高          21.64    21.64    21.64  
レンズ全長   132.28   132.43   132.07  
BF            12.72    12.87    12.51  
d21            7.55     4.16    12.16  
d24            6.17     9.56     1.56  
d26           12.72    12.87    12.51  
入射瞳位置    35.84    35.84    35.84  
射出瞳位置   -59.47   -59.38   -59.60  
前側主点位置  53.82    53.84    53.80  
後側主点位置 -21.26   -21.12   -21.45  
レンズ群データ
群  始面    焦点距離  レンズ構成長  前側主点位置  後側主点位置
U    1      34.20        89.80        56.64          5.15
L1  20     447.28         2.59        -5.25         -6.58
L2  22   15008.87         8.63       315.32        316.28
L3  25    -214.85         1.50        -0.25         -1.04
【００７１】
（数値実施例９）
単位 mm
面データ
面番号       r        d      nd         vd       有効径
1        320.116    2.80   1.51633    64.1       51.99
2         41.977    5.78                         45.00
3        174.176    2.30   1.51823    58.9       44.56
4         39.095   14.53                         41.15
5         83.274    4.44   1.77250    49.6       39.37
6       -395.333    6.26                         38.88
7         57.067    5.14   1.77250    49.6       35.63
8       -200.681    8.71                         35.34
9        607.365    6.47   1.77250    49.6       30.62
10        -28.883    1.50   1.65412    39.7       30.02
11         57.419    4.23                         26.96
12(絞り)    ∞       7.82                         25.98
13        -19.812    1.60   1.80518    25.4       24.65
14        162.417    4.90   1.83481    42.7       27.82
15*       -75.797    0.20                         29.43
16       -470.465    6.60   1.77250    49.6       30.27
17        -32.806    0.20                         32.76
18       -154.187    6.32   1.77250    49.6       35.98
19        -34.950    3.30                         37.18
20         47.718    3.77   1.84666    23.8       42.37
21         50.234  (可変)                         41.13
22        213.116    1.50   1.75500    52.3       41.19
23         42.705    9.86   1.49700    81.5       40.81
24       -106.144  (可変)                         41.11
25        -93.006    1.50   1.65160    58.5       40.92
26       -311.395  (可変)                         41.40
像面        ∞   
非球面データ
第15面
K = 4.82454e+000  A 4= 1.27386e-005  A 6= 2.46580e-009  A 8=-1.63965e-011  A10= 1.16481e-014  
normal   under     over
焦点距離      32.49    32.31    32.67  
Fナンバー      1.38     1.37     1.38  
半画角        33.66    33.81    33.52  
像高          21.64    21.64    21.64  
レンズ全長   131.98   131.86   132.07  
BF            10.02     9.90    10.11  
d21            7.71     5.41     9.96  
d24            4.52     6.82     2.27  
d26           10.02     9.90    10.11  
入射瞳位置    35.84    35.84    35.84  
射出瞳位置   -62.77   -62.28   -63.27  
前側主点位置  53.83    53.68    53.96  
後側主点位置 -22.47   -22.41   -22.56  
レンズ群データ
群  始面    焦点距離  レンズ構成長  前側主点位置  後側主点位置
U    1      34.20        89.80        56.64          5.15
L1  20     667.02         3.77       -22.95        -24.16
L2  22     441.68        11.36        13.18          5.88
L3  25    -204.07         1.50        -0.39         -1.30
【００７２】
【表１】
2019207267.tif 000004
【符号の説明】
【００７３】
Ｌ    ：球面収差可変光学系
Ｌ１  第１レンズ群
Ｌ２  第２レンズ群
Ｌ３  第３レンズ群
【図１】
2019207267.tif 000005
【図２】
2019207267.tif 000006
【図３】
2019207267.tif 000007
【図４】
2019207267.tif 000008
【図５】
2019207267.tif 000009
【図６】
2019207267.tif 000010
【図７】
2019207267.tif 000011
【図８】
2019207267.tif 000012
【図９】
2019207267.tif 000013
【図１０】
2019207267.tif 000014
【図１１】
2019207267.tif 000015
【図１２】
2019207267.tif 000016
【図１３】
2019207267.tif 000017
【図１４】
2019207267.tif 000018
【図１５】
2019207267.tif 000019
【図１６】
2019207267.tif 000020
【図１７】
2019207267.tif 000021
【図１８】
2019207267.tif 000022
【図１９】
2019207267.tif 000023
【図２０】
2019207267.tif 000024
【図２１】
2019207267.tif 000025
【図２２】
2019207267.tif 000026